(57)【要約】【課題】本発明の課題は、容器の蓋を簡単に脱着するための手段を提供することにある。【解決手段】  第一係合部を有する蓋と、該第一係合部と係合する第二係合部を有する治具とを含むデバイスであって、治具は、長尺状の本体と、本体を囲繞してなる鍔部と、を含み、本体は、蓋と係合する先端部を有する、前記デバイス。【選択図】  図１
2020117246.tif 000002
【特許請求の範囲】
【請求項１】
長尺状の本体と、本体を囲繞してなる鍔部と、を含む、蓋を容器から脱着させる治具であって、本体は、蓋と係合して蓋を容器から脱着させる先端部を有する、前記治具。
【請求項２】
鍔部が、本体の重心より先端側に設けられている、請求項１に記載の治具。
【請求項３】
鍔部が、側面の少なくとも一部に平坦な部分を有し、水平面に対し鍔部と本体の基端を支点に載置できる、請求項１または２に記載の治具。
【請求項４】
係合が、連結、嵌合または螺合である、請求項１〜３のいずれか一項に記載の治具。
【請求項５】
先端部の径が先端に向かうほど小さい、請求項１〜４のいずれか一項に記載の治具。
【請求項６】
第一係合部を有する蓋と、該第一係合部と係合する第二係合部を有する治具とを含むデバイスであって、治具は長尺状の本体と本体を囲繞してなる鍔部とを有する、前記デバイス。
【請求項７】
蓋が容器の口部に挿入可能な中栓形状を有する、請求項６に記載のデバイス。
【請求項８】
蓋の下面の端部が面取りされている、請求項７に記載のデバイス。
【請求項９】
蓋が、フッ素樹脂で形成されている、請求項７または８に記載のデバイス。
【発明の詳細な説明】
【技術分野】
【０００１】
本発明は、容器の蓋を外す治具を含むデバイスに関する。
【背景技術】
【０００２】
一般に蓋つきの容器は、蓋と容器とを脱着するにあたり、蓋を手で操作することが多いが、この作業の際、蓋への作業者の手の接触により蓋の内側が汚染されたり、作業者の手に容器の中身である薬品が付着したりする。また、容器から外した蓋に関しては、容器の内側や口部に接する部分を汚染することなく保持したり、容器に再装着する前に洗ったりすることが難しい。このことは、とりわけ試験研究機関や医療機関などで用いられる容器の蓋においては深刻な問題となり得る。
【０００３】
従来、上記蓋の抜き差しを補助するための実験用容器の補助具として、容器の中蓋の脱着を容易にし、尚且つ外した中蓋を保持しておくことを可能とする中蓋の脱着構造が記載されており（特許文献１）、容器の中蓋の脱着を容易にし、尚且つ外した中蓋を保持しておくことを可能とする中蓋の脱着構造が記載されている。
【先行技術文献】
【特許文献】
【０００４】
【特許文献１】特許第４１３４１０５号公報
【発明の概要】
【発明が解決しようとする課題】
【０００５】
本発明の課題は、容器の蓋を簡単に脱着するための手段を提供することを目的とする。
【課題を解決するための手段】
【０００６】
上記課題を解決するため、本発明者は、鋭意研究を重ねる中で、蓋の脱着に係る力を効果的に伝える構造を有する治具により上記課題が解消されることを見出し、さらに鋭意研究を重ねた結果、本発明を完成するに至った。
【０００７】
すなわち、本発明は以下に関する。
［１］  長尺状の本体と、本体を囲繞してなる鍔部と、を含む、蓋を容器から脱着させる治具であって、本体は、蓋と係合して蓋を容器から脱着させる先端部を有する、前記治具。
［２］  鍔部が、本体の重心より先端側に設けられている、［１］に記載の治具。
［３］  鍔部が、側面の少なくとも一部に平坦な部分を有し、水平面に対し鍔部と本体の基端を支点に載置できる、［１］または［２］に記載の治具。
［４］  係合が、連結、嵌合または螺合である、［１］〜［３］のいずれか一つに記載の治具。
［５］  先端部の径が先端に向かうほど小さい、［１］〜［４］のいずれか一つに記載の治具。
［６］  第一係合部を有する蓋と、該第一係合部と係合する第二係合部を有する治具とを含むデバイスであって、治具は長尺状の本体と本体を囲繞してなる鍔部とを有する、前記デバイス。
［７］  蓋が容器の口部に挿入可能な中栓形状を有する、［６］に記載のデバイス。
［８］  蓋の下面の端部が面取りされている、［７］に記載のデバイス。
［９］  蓋が、フッ素樹脂で形成されている、［７］または［８］に記載のデバイス。
【発明の効果】
【０００８】
本発明によれば、蓋が不純物で汚染されることを防止できる。また、蓋の洗浄が容易に行える。
蓋の脱着の際に付着した薬液等が作業者の手に付着したり、薬液がこぼれて周囲に飛散することなどが回避され、作業の安全性が確保できる。蓋に治具が係合すれば治具の把持部を操作することで、蓋を容器から外す力が効果的に加えられることから、蓋の脱着に係る力を効果的に伝えられ、効率的に蓋の脱着をすることができる。
【０００９】
蓋の洗浄をするにあたっても、治具本体の把持部を作業者が把持して洗浄作業をすることが可能であり、洗浄が容易に行える。
【００１０】
本発明に係る治具のうち、鍔部の側面の少なくとも一部が平坦になっているものについては、床面または作業机の机上面に治具を置いた際、治具が静止するため、蓋を安定的に保持することに有利である。
【００１１】
治具は蓋に係合すれば蓋の脱着の用を達成できるため、一つの治具で異なる種類の蓋の脱着が可能である。さらに、先端部の係合部の径が先端に向かうほど小さい構造を有する治具は、係合の対象となる蓋の蓋側に設けられた第二係合部の径が一定の大きさでない場合にも、治具と係合部が互いにいずれかの径の大きさの部分で係合しあうことが期待できるため、係合対象となる蓋の係合部の径を限定する度合いが低く、汎用性にも優れている。
【図面の簡単な説明】
【００１２】
【図１】図１−ａは、本発明によるデバイスの一態様を示す斜視図である。図１−ｂは、本発明によるデバイスの一態様が係合された状態を示す斜視図である。
【図２】図２−ａは、本発明によるデバイスの一態様の使用例として治具を蓋に係合させて床面に載置した状態を示す図である。図２−ｂは、本発明によるデバイスの一態様の使用例として蓋に係合した治具を用いて蓋の洗浄を行う状態を示す図である。
【図３】図３のａからｇは、本発明によるデバイスの一態様の使用例として、容器に装着した蓋に治具を螺合させ、中栓を外し、また装着する操作を示した図である。
【図４】図４は、本発明による治具の一態様の変形例として、先端部の径が先端に向かうほど小さい治具と、図１から３の中栓様とは異なる形状の蓋の組み合わせを示した図である。
【図５】図５−ａは、本発明による治具の別の態様として、図１から３の態様とは異なるデバイスを示した図である。図５−ｂは、デバイスの別の態様が係合された状態を示す図である。
【図６】図６−ａは、本発明によるデバイスの別の態様の使用例として治具を蓋に係合させて床面に載置した状態を示す図である。図６−ｂは、本発明によるデバイスの別の態様の使用例として蓋に係合した治具を用いて蓋の洗浄を行う状態を示す図である。
【図７】図７のａからｅは、本発明による治具の別の態様の使用例として、容器に装着した蓋に治具を螺合させ、外し、また装着する操作を示した図である。
【発明を実施するための形態】
【００１３】
以下、本発明のデバイスについて図面に基づき説明するが、本発明はこれらに限定されるものではない。また、各図において、説明を容易とするため、各部材の大きさは、適宜強調されている場合があり、図示の各部材は、必ずしも実際の大きさ、比率を示すものではない。
【００１４】
本発明の実施の態様の一つは、図１−ａに示すとおり、治具１と蓋２とを含むデバイス３である。治具１は、長尺状の本体１１と、鍔部１２と、第一係合部１３と、把持部１５を有している。蓋２は上部２１と下部２２と第二係合部２３とを有し下部下端の辺２４を有している。治具１の第一係合部１３と蓋２の第二係合部２３とは相互に係合する構造を有しており、第一係合部１３を蓋２の第二係合部２３に挿入し螺合（係合）させることで、蓋２を治具１で操作することができる。本実施態様において、係合は螺合である。
【００１５】
治具１の本体１１は長尺状であり、周囲を囲繞して鍔部１２が設けられている。鍔部１２は本体１１の重心より先端側に設けられており、外径が蓋２の外径より大きい。鍔部１２の側面の少なくとも一部は平坦な面１２２をなしている。第一係合部１３は本体１１の先端部に設けられている。第一係合部１３の基端と鍔部１２の間には距離が設けられている。把持部１５は本体１１の鍔部１２よりも基端側である。
【００１６】
本発明において蓋は対象となる容器の開口部を覆うものである。本態様の蓋２の上部２１は容器Ｂの開口部である、口部Ｍを覆う。蓋２の下部２２は上部２１を下方向に押し付ける。
【００１７】
本実施態様においては、蓋２の上部２１は円盤形状を有する。蓋２の下部２２は円柱形状を有する。上部２１の外径は下部２２の外径よりも大きい。下部２２の外径は、蓋２が装着される容器の口部の内径と同じかやや大きく、該下部２２を容器の口部に押し込んで密着させることで、蓋２の上部２１を下方向に押し付け、容器Ｂの口部上端に密着させる。本実施態様において、蓋２は中栓である。下部２２の下端の少なくとも一部は平面で形成されていてよい。下部２２の下端の端部の辺２４は面取りされている。第二係合部２３は上部２１の上面側に設けられ、蓋２を通貫しない凹部形状を有する。
【００１８】
図１−ｂに示すように治具１の第一係合部１３と蓋２の第二係合部２３とは相互に係合する構造を有しており、第一係合部１３を蓋２の第二係合部２３に挿入し係合させることができる。作業者が治具１の第一係合部１３を蓋２の第二係合部２３に挿入し、螺子を螺合させる方向に回転させると、蓋２と治具１が連結する。第一係合部１３の基端と鍔部１２の間には距離が設けられており、治具１に連結された蓋２が鍔部１２に接することはない。
【００１９】
図２−ａに本態様を使用し載置した場合の効果を示す。容器Ｂに装着された蓋２に治具１を係合させて抜栓し、作業机の机上面（以下、床と記す）Ｆに載置する。この際、治具１の本体１１を囲繞して鍔部１２が設けられているため、蓋２に付着した液体等は鍔部１２に遮断され、把持部１５に及ばないという液だれ防止が達成される。鍔部１２が本体１１の重心Ｇより先端側に設けられていることにより、治具１の先端が床Ｆに着かず、治具１の第一係合部１３は不純物等が付着することなく、衛生的に保たれる。鍔部１２の外径が係合対象である蓋２の径よりも大きいことから、治具１に係合された蓋２は床Ｆに着かず、不純物等が付着することによる汚染が回避される。鍔部１２は治具１を安定的に床に載置できる構造を有していてよく、例えば側面の少なくとも一部が平坦な面１２２を有しており、作業者が治具１を載置する際に、面１２２を床に向かいあわせて載置することで、治具１を安定的に床Ｆの上に載置できる。
【００２０】
図２−ｂに蓋２の洗浄について示す。本デバイス３は蓋２を治具１に係合させて使用することができ、蓋２に不純物が付着する等の汚染が生じても、治具１の把持部１５を持ち、蓋２を薬液もしくは超純水等で洗浄することができる。
【００２１】
第一係合部１３の基端と鍔部１２の間に距離が設けられており、治具１に連結された蓋２が鍔部１２に接することはないため、蓋２を薬液もしくは超純水等で洗浄することが可能である。この際、蓋２の上面２１は鍔部１２により覆われておらず、薬液もしくは超純水により洗浄される。
【００２２】
蓋２の下部２２の下面が平坦な部分を有する場合、治具１に係合させた蓋２を洗浄液Ｌに浸漬させる際に、蓋２と治具１は自立するため、作業者が手で把持部１５を保持している必要がない。
【００２３】
図３のａからｇは本デバイスの使用例として、超精密分析用薬液等を内容物とする容器Ｂに装着された蓋２を治具１を用いて脱着する行程を示している。容器Ｂには内容物の純度を保つ必要があるため、蓋２の外側に外部と蓋２の装着部を遮断する外蓋がついているが、外蓋を外したうえで、治具１を蓋２に係合させ（３−ａ）、治具１と連結した蓋２（３−ｂ）に、把持部１５を通じて力を加えて（３−ｃ）容器Ｂから抜き取り（３−ｄ）、再度容器Ｂに蓋２を装着し（３−ｅ）、口部Ｍに装着した蓋２（３−ｆ）から治具１を外し、外蓋を装着する前段階（３−ｇ）に至るまでが図示されている。容器Ｂが超精密分析用薬液を内容物とする場合、薬液の純度を保つために、蓋２の脱着はクリーンベンチ内で行われる。
【００２４】
図３−ａは、蓋２を容器Ｂの口部Ｍに取り付けた状態を示す。蓋２の上部２１の外径は容器Ｂの口部Ｍの外径と同じかそれより大きいため、容器Ｂに押し込まれたときに蓋２が容器Ｂの内部に落ち込むことがない。蓋２の下部２２の円柱形状の外径は口部Ｍの内径と同じかやや大きい。蓋２は、容器Ｂの口部Ｍに挿入可能な中栓形状を有し、挿入された下部２２の円柱形状が容器Ｂの口部Ｍの内径に接触することと蓋２の上部２１の下端が容器Ｂの口部の上端に接触することで容器Ｂの外部と内部を遮断し、容器Ｂを密閉する。蓋２に治具１を係合させるためには、作業者は治具１の第一係合部１３を蓋２の第二係合部２３に挿入し、螺子を螺合させる方向に回転させる（３−ａ）。
【００２５】
蓋２の第二係合部２３に設けられた凹部が雌螺子の役を、治具１の第一係合部１３の凸部が雄螺子の役をなして、両者の係合部が相互に螺合して治具１と蓋２が連結する（３−ｂ）。
【００２６】
蓋２を容器Ｂから外す際には、作業者が一方の手で容器Ｂを把持して固定し、他方の手で治具１の把持部１５を把持して容器の軸に対して倒すように揺り動かすと、把持部１５から蓋２に力が伝わって、容器Ｂの口部Ｍに接触して容器Ｂの内部を密閉している蓋２と口部Ｍとの接触を緩めることができる。蓋２の下端の辺２４は面取りされているため、作業者は治具１を垂直方向にのみ引いて蓋２を外すよりも、軽い力で蓋２を外すことができる。蓋２の下部２２の下端の端部の辺２４が面取りされていることから、蓋２が外される際に蓋２の下部下端や容器Ｂの口部Ｍの内壁が削られ、内容物の薬液に混入しその純度を損なうことが防止できる。また、作業者は治具１の把持部１５を一方の手で把持して蓋２と口部Ｍとの接触を緩めて外す作業を行えることから、もう片方の手で容器Ｂを安定的に固定できる。容器Ｂの内容物が超精密分析用薬液等の、強酸性、強アルカリ性を有する薬液である場合、蓋２を外す際にも容器Ｂを安定的に把持し、内容物が飛散しないよう保つことで、作業の安全性の確保が達成される（３−ｃ）。
【００２７】
作業者が把持部１５を把持して、治具１を容器Ｂの上部方向へ引くと、治具１に係合された蓋２は容器Ｂから外れた状態となる。この際、図１−ｂで説明したように、蓋２は治具１に係合されている。そのため、容器Ｂの口部Ｍから外れた後に床に落下することがなく、蓋２に不純物が付着するなどの汚染が回避される（３−ｄ）。
【００２８】
図２−ａを用いて説明したように、蓋２が係合した治具１は、治具１の先端が床に着かず、治具１の第一係合部１３が衛生的に保たれる構造を有するうえ、鍔部１２の外径が係合対象である蓋２の径よりも大きいことから、治具１に係合された蓋２は床に着かず、不純物等が付着することによる汚染が回避される。そのため、作業者が、容器Ｂから蓋２を外して載置しても、床面上の不純物が付着して汚染されることも防止できる。また、図２−ｂで説明したように、作業者は、蓋２を容器Ｂから外したうえで把持部１５を持ち、蓋２を薬液もしくは超純水等で洗浄することができる。蓋２が係合した治具１は、洗浄後にも安定的に床に載置できることから、洗浄後に蓋２が不純物の付着によって汚染されることも防止できる。容器Ｂの内容物が超精密分析用薬液である場合、蓋２の汚染の防止により容器Ｂの内容物の純度が保たれる。
【００２９】
容器Ｂに蓋２を装着する際には、作業者は治具１に螺合した蓋２を容器の口部Ｍに挿入する。治具１の端部から把持部１５までは本体１１の把持部１５を作業者の手で保持しても手が蓋２に触れない十分な距離、例えば１００ｍｍ以上が確保されている。また、図１−ａで説明したように、鍔部１２が治具の本体を囲繞して第一係合部１２よりも基部側に設けられていることから、蓋２を容器の口部Ｍに装着し、押し込む力を加える際にも、鍔部１２が作業者の手のストッパーとして機能するため、把持部１５を把持する作業者の手が治具１の先端部に近づきすぎることがない。そのため、作業者の手が直接触れ、蓋２に不純物が付着して汚染されることが防止される。また、蓋２の下部２３の下面の端が面取りされているため、蓋２を容器の口部Ｍに装着する際にも容器Ｂの口部Ｍに容易に挿入することが可能である（３−ｅ）。
【００３０】
治具１に螺合した蓋２は容器の口部Ｍに挿入されて容器Ｂに装着される（３−ｆ）。
【００３１】
治具１に螺合した蓋２を容器の口部Ｍに挿入した後、治具１を図３−ａとは逆回転方向に回転させると、治具１と蓋２の螺合が緩む。螺合が解かれた治具１が蓋２から外され、容器Ｂには蓋２が装着された状態となる（３−ｇ）。その後、容器Ｂの外蓋を作業者が装着する。外蓋を装着することで、蓋２の上部が外蓋の天井部により押し込まれ、容器と蓋との密閉性を増すことができる。本態様では中栓である蓋２と外蓋の装着が別々に行われているが、別の例では、これらの中栓と外蓋が互いに一体となって１つの蓋を形成し容器を密閉するものであってもよい。
【００３２】
治具１を使用して、洗浄（２−ｂ）した蓋２を装着する場合には、蓋２には不純物がついていない状態となっているため、外蓋の内側の容器は衛生的に保たれている。また、蓋２から係合を解いた後の治具１を、外蓋の装着に際して作業者が床に載置する際にも、治具１では本体の重心よりも先端側に鍔部１２が設けられているため、治具１の第一係合部１３が床につかず、不純物が付着することによる汚染が回避される。
【００３３】
以上のように、治具１の利用により、蓋２に作業者の手が直接触れることが全くないまま、蓋２と容器Ｂとの脱着が達成され、また、治具１の先端部と蓋２に不純物が付着することによる汚染の回避が達成される。容器Ｂが超精密分析用薬液等を内容物とする場合、治具１の先端部と蓋２に不純物が付着することなく保たれることで、内容物に不純物が混入することなく、純度が保たれる。また、薬液の飛散が防止できるため、強酸性、強アルカリ性の薬液等を内容物とする場合の作業の安全も確保される。
【００３４】
蓋２の素材は、フッ素樹脂で形成されている。フッ素樹脂としては、例えばＰＦＡ（四フッ化エチレン−パーフロロアルキルビニルエーテル共重合樹脂）、ＰＴＦＥ（四フッ化エチレン樹脂）、ＦＥＰ（四フッ化エチレン−六フッ化プロピレン共重合樹脂）が挙げられる。このことから強酸性、強アルカリ性の薬液等に耐腐食性を有することができ、超精密機器の洗浄用の薬液等の保存用薬瓶等の容器にも対応が可能となる。強酸性、強アルカリ性の薬液等の内容物に対して耐腐食性を有する素材であれば、蓋２の素材はフッ素樹脂に限定されない。また、可撓性のある素材で第二係合部を作成することで、様々な形の蓋に対応した係合をなすことが可能となり、治具の汎用性が高くなる。
【００３５】
図４−ａに示す実施態様の別の例では、第一係合部１３の径は、先端に向かうほど小さくなってよい。蓋２は、容器Ｂの口部Ｍに押し込まれ装着された際、外周側面に締め付ける圧力がかかるため、図４−ｂに示すように第二係合部２３の径が狭まる。このため、治具１の第一係合部１３と第二係合部２３の係合部の径や螺合の組み合わせが、完全に対応したものでないとしても、治具１と蓋２を係合させる際に第二係合部が第一係合部に密着して係合し、治具１と蓋２が連結できる（図４−ｃ）。該態様においては、第二係合部２３の大きさが蓋２の仕様により各々異なるような場合にも、一種類の治具１の第一係合部１３を係合させることが可能となり、汎用性に優れるという利点がある。
【００３６】
図４−ａに示している態様では、第一係合部１３と第二係合部２３の係合は、先端に向かうにつれ同心円状に段階的に径が小さくなっていく第一係合部１３と、蓋２の上面側から下方に向かって同心円状に段階的に径が小さくなっていく第二係合部２３が篏合するものが考えられる。当該係合については、螺合のように治具と蓋との係合に際して一定の方向に回転させる必要がないため、蓋と容器の接続部が螺旋状に締まる構造の場合に、治具と蓋との係合の方向が限定されないという利点がある。また、治具と蓋との係合部同士について雄螺子、雌螺子のような組み合わせを要求しないため、蓋の上部にある凹部に治具の先端部の径が篏合しさえすれば蓋と治具との連結が可能であり、汎用性が高い。
【００３７】
図５−ａに本発明の実施の第二の態様を示す。当該態様は、治具１αと蓋２αとを含むデバイス３αである。治具１は、長尺状の本体１１と、鍔部１２と、第一係合部１３αと、把持部１５を有している。蓋２αは上部２１αと下部２２αと第二係合部２３αとを有している。治具１αの第一係合部１３αと蓋２αの第二係合部２３αとは相互に係合する構造を有しており、第一係合部１３αを蓋２αの第二係合部２３αに嵌合（係合）させることで、蓋２αを治具１αで操作することができる。本態様において、係合は嵌合である。
【００３８】
治具１αの本体１１は長尺状であり、周囲を囲繞して鍔部１２が設けられている。鍔部１２は本体１１の重心より先端側に設けられており、外径が蓋２αの外径より大きい。鍔部１２の側面の少なくとも一部は平坦な面１２２をなしている。第一係合部１３αは本体１１の先端部に設けられている。第一係合部１３αの基端と鍔部１２の間には距離が設けられている。把持部１５は本体１１の鍔部１２よりも基端側である。
【００３９】
蓋は対象となる容器の開口部を覆うものであり、蓋２αの上部２１αは容器Ｂの開口部である口部Ｍを覆う。蓋２αの下部２２αは上部２１αを下方向に押し付ける。
【００４０】
蓋２αの下部２２αは円筒形状を有する。蓋２αは上部２１αが容器Ｂの口部Ｍの上部に、下部２２αの内側面が口部Ｍの外周に接して、容器Ｂを密閉する、外蓋形状のものである。蓋２αは、例えば本発明の実施の第一の態様の使用例として図３で説明した容器Ｂの外蓋である。第二係合部２３αは下部２２αの側面に設けられている。
【００４１】
図５−ｂに示すように治具１αの第一係合部１３αと蓋２αの第二係合部２３αとは相互に係合する構造を有しており、第一係合部１３αを蓋２αの第二係合部２３αに係合させることができる。作業者が治具１αの第一係合部１３αの凹部を蓋２αの第二係合部２３αの突起に係合させると、蓋２αと治具１αが連結する。第一係合部１３αの基端と鍔部１２の間には距離が設けられている。
【００４２】
図６−ａに本態様を使用し床に載置した場合の効果を示す。容器Ｂに装着された蓋２αに治具１αを係合させて容器Ｂから外し、作業机の床Ｆに載置する。この際、治具１αの本体１１を囲繞して鍔部１２が設けられているため、蓋２αに付着した液体等は鍔部１２に遮断され、把持部１５に及ばないという液だれ防止が達成される。鍔部１２が本体１１の重心より先端側に設けられていることにより、治具１αの先端が床に着かず、治具１αの第一係合部１３αは不純物等が付着することなく、衛生的に保たれる。鍔部１２の外径が係合対象である蓋２αの径よりも大きいことから、治具１αに係合された蓋２αは床Ｆに着かず、不純物等が付着することによる汚染が回避される。鍔部１２は治具１αを安定的に床に載置できる構造を有していてよく、例えば側面の少なくとも一部が平坦な面１２２を有しており、作業者が治具１αを載置する際に、面１２２を床Ｆに向かいあわせて載置することで、治具１を安定的に床Ｆの上に載置できる。
【００４３】
図６−ｂに蓋２αの洗浄について示す。本デバイス３αは蓋２αを治具１αに係合させて使用することができ、蓋２αに不純物が付着する等の汚染が生じても、治具１αの把持部１５を持ち、蓋２αを薬液もしくは超純水等で洗浄することができる。
【００４４】
蓋の下部２２αの下端が平坦な部分を有する場合、治具１αに係合させた蓋２αを洗浄液Ｌに浸漬させる際に、蓋２αと治具１αは自立するため、作業者が手で把持部１５を保持している必要がない。
【００４５】
図７のａからｅは本デバイスの使用例として、容器Ｂに装着された蓋２αを治具１αを用いて脱着する行程を示している。容器Ｂには蓋２αがついているが、蓋２αを外すにあたり治具１αを容器Ｂに装着された蓋２αの上部から被せて（７−ａ）、蓋２αに係合させ、治具１αと連結した蓋２α（７−ｂ）を容器Ｂから外し（７−ｃ）、再度容器Ｂに蓋２αを装着し（７−ｄ）、口部Ｍに装着した蓋２αから治具１αを外す（７−ｅ）までが図示されている。容器Ｂは超精密分析用薬液等を内容物とする場合、薬液の純度を保つために、蓋２αの脱着はクリーンベンチ内で行われる。
【００４６】
図７−ａは、蓋２αを容器Ｂの口部Ｍに取り付けた状態を示す。蓋２αの下部２２αは円筒形状を有する。蓋２αの下部２２αの円筒の内径は口部Ｍの外径とほぼ等しいかやや大きい。蓋２αは、容器Ｂの口部Ｍを覆う外蓋であり下部２２αの円筒形状が口部Ｍの側面に接触することと蓋２αの上部２１αの下端が容器Ｂの口部の上端に接触することで容器Ｂを密閉する。蓋２αに治具１αを係合させるためには、作業者は治具１αの第一係合部１３αを蓋２αに被せるようにして第二係合部２３αに係合させる（７−ａ）。
【００４７】
蓋２αの第二係合部２３αに設けられた突起と、治具１αの第一係合部１３αの凹部が互いに組み合わさって嵌合し治具１αと蓋２αが連結する（７−ｂ）。
【００４８】
蓋２αを容器Ｂから外す際には、作業者が一方の手で容器Ｂを把持して固定し、他方の手で治具１αの把持部１５を把持して、容器Ｂと螺合している蓋２αの螺合を解く方向に把持部を回転させると、把持部１５から蓋２αに力が伝わって、容器Ｂの口部Ｍに接触して容器Ｂの内部を密閉している蓋２αと口部Ｍとの接触を緩めることができる。
【００４９】
作業者が把持部１５を把持して、治具１αを容器Ｂの上方向へ引くと、治具１αに係合された蓋２αは容器Ｂから外れた状態となる。この際、図７−ｂで説明したように、蓋２αは治具１αに係合されている。そのため、容器Ｂの口部Ｍから外れた後に床に落下することがなく、蓋２αに不純物が付着するなどの汚染が回避される（７−ｃ）。
【００５０】
図６−ａを用いて説明したように、蓋２αが係合した治具１αは、治具１αの先端が床に着かず、治具１αの第一係合部１３αが衛生的に保たれる構造を有するうえ、鍔部１２の外径が係合対象である蓋２αの径よりも大きいことから、治具１αに係合された蓋２αは床に着かず、不純物等が付着することによる汚染が回避される。そのため、作業者が、容器Ｂから蓋２αを外して載置しても、床面上の不純物が付着して汚染されることも防止できる。また、図６−ｂで説明したように、作業者は、蓋２αを容器Ｂから外したうえで把持部１５を持ち、蓋２αを薬液もしくは超純水等で洗浄することができる。蓋２αが係合した治具１αは、洗浄後にも安定的に床に載置できることから、洗浄後に蓋２αが不純物の付着によって汚染されることも防止できる。蓋２αの汚染の防止により外蓋の内部に不純物が付着することが防止できるため、容器Ｂの内容物の純度が保たれる。
【００５１】
容器Ｂに蓋２αを装着する際には、作業者は治具１αに係合した蓋２αを容器の口部Ｍに装着する。治具１αの端部から把持部１５までは本体１１の把持部１５を作業者の手で保持しても手が蓋２αに触れない十分な距離、例えば１００ｍｍ以上が確保されている。また、図５−ａで説明したように、鍔部１２が治具の本体を囲繞して第一係合部１２よりも基部側に設けられていることから、作業者が蓋２αを容器の口部Ｍに装着するため口部Ｍの下方向への力を加える際にも、鍔部１２が作業者の手のストッパーとして機能するため、把持部１５を把持する作業者の手が治具１αの先端部に近づきすぎることがない。そのため、作業者の手が蓋２αに直接触れ、蓋２αに不純物が付着して汚染されることが防止される。
【００５２】
治具１αに係合した蓋２αは容器の口部Ｍに被せられ容器Ｂに装着される（７−ｄ）。
【００５３】
治具１αに係合した蓋２αを容器の口部Ｍに被せ、蓋２αと口部Ｍを螺合させて装着した後、治具１αを垂直方向に引き抜く。蓋２αとの篏合が解かれた治具１αが蓋２αから外され、容器には蓋２αが装着された状態となる（７−ｅ）。
【００５４】
治具１αを使用して、洗浄（６−ｂ）した蓋２αを装着する場合、蓋２αの内側が衛生的に保たれる。また、蓋２αから係合を解いた後の治具１αを、作業者が床に載置する際にも、治具１αでは本体の重心よりも先端側に鍔部１２が設けられているため、治具１αの第一係合部１３αが床につかず、不純物が付着することによる汚染が回避される。
【００５５】
本態様では蓋２αの装着が中栓と別々に行われているが、別の例では、これらの蓋と中栓が互いに一体となって１つの蓋を形成し容器を密閉するものであってもよい。
【００５６】
各実施態様に顕れているように、係合には例えば双方が螺合するもの、一方の一部に他方の一部が滑合するもの、一方の周囲を他方が取り囲み摩擦を加えるもの等、が含まれ、篏合など独立した物体同士が合体するもの、物体の一部が他方の一部の孔や突起に係り力を伝えるものを広く含むことができる。したがって、第一係合部１３、１３αと第二係合部２３、２３αの形状は、相互に係り力を伝える構造を満たせば特に限定されず、例えば凹部と凸部が螺合する形状の組み合わせ、同心円状の径が相互に篏合する組み合わせ、スリットとそれに篏合する突起を有する形状の組み合わせや、蓋に設けられた孔に治具の先端を差し込んで一定程度回転させることで滑合する形状の組み合わせなどが広く考えられる。
【００５７】
以上、本発明を図示の実施態様について説明したが、本発明はこれに限定されるものではない。本発明においては、各構成は、同様の機能を発揮し得る任意のものと置換することができ、あるいは、任意の構成を付加することもできる。
【符号の説明】
【００５８】
１、１α      治具
１１          本体
１２          鍔部
１２２        鍔部１２の平坦な面
１３、１３α  第一係合部
１５          把持部
２、２α      蓋
２１、２１α  蓋の上部
２２、２２α  蓋の下部
２３、２３α  蓋の第二係合部
２４          蓋２の下部２２の下面端部の辺
３、３α      デバイス
Ｂ            容器
Ｍ            容器の口部
Ｇ            重心
Ｌ            純水、洗浄液
Ｆ            作業机の机上面、床
【図１】
2020117246.tif 000003
【図２】
2020117246.tif 000004
【図３】
2020117246.tif 000005
【図４】
2020117246.tif 000006
【図５】
2020117246.tif 000007
【図６】
2020117246.tif 000008
【図７】
2020117246.tif 000009